(57)【特許請求の範囲】
【請求項１】
薬剤吸引排出装置と、医療情報データベースと、薬剤混合ステーションと、を備えた薬剤吸引排出システムであって、
前記薬剤吸引排出装置は、シリンジを保持して駆動させるシリンジ駆動装置と、前記シリンジ駆動装置を着脱可能に支持する基台と、を備え、
前記薬剤吸引装置の前記シリンジ駆動装置は、前記シリンジのシリンダーを保持するシリンダー保持部と、前記シリンジのピストンを駆動するピストン駆動部と、処方箋データおよび処方の指示データおよび薬剤情報のデータの内の少なくともいずれかに基づいてピストン駆動部の動作パラメータを設定するパラメータ設定部と、前記ピストン駆動部の動作を前記動作パラメータにより制御する制御部と、を有し、
前記薬剤吸引装置の前記基台は、前記処方箋データおよび前記処方の指示データおよび前記薬剤情報のデータの内の少なくともいずれかに基づく薬剤情報のデータを前記シリンジ駆動装置に送信する送信部と、前記シリンジ駆動装置を保持する保持部と、を有すると共に、少なくとも記憶部と、前記記憶部および前記情報提示部を制御するステーション制御部と、を内蔵し、
前記医療情報データベースは、処方箋情報および監査情報および混合調整情報の内の少なくともいずれかの情報を送受信し、
前記薬剤混合ステーションは、薬剤容器を配置する薬剤容器搭載部と、処方箋情報および監査情報および混合調製情報の内の少なくとも何れかを画面に表示する情報提示部と、前記薬剤を注入する輸液バッグを配置する輸液バッグ搭載部と、前記薬剤容器搭載部および前記輸液バッグ搭載部と一体化した混合調整エリアを配置した基台部と、を有し、
前記ステーション制御部は、前記薬剤吸引排出装置の送信部及び受信部との間で医療情報を送受信することにより、前記薬剤吸引排出装置の基台と前記医療情報データベースとの間で送受信した医療情報に基づいて前記シリンジ駆動装置により前記薬剤容器の薬剤を前記シリンジに吸引または混合する、
薬剤吸引排出システム。
【請求項２】
前記基台は、前記シリンジ駆動装置を操作する人を認証する認証部と、前記シリンジ駆動装置の前記ピストン駆動部の電池部を充電する充電部と、を備えた、
請求項１に記載の薬剤吸引排出システム。
【請求項３】
前記基台は、前記シリンジに吸引する薬剤を表示する表示部と、前記シリンジに吸引する薬剤を認識する薬剤認証部と、を備えた、
請求項１または２に記載の薬剤吸引排出システム。
【請求項４】
前記動作パラメータは、前記シリンジへの薬剤の吸引の速度、または、前記シリンジからの薬剤の排出速度および薬剤の吸引量に対応して設定する交換用の空気量の少なくともいずれかのパラメータを含む、
請求項１から３のいずれか１項に記載の薬剤吸引排出システム。
【請求項５】
処方箋から取得した医療情報に基づき、前記医療情報データベースにより必要な動作パラメータを抽出して、抽出された前記動作パラメータを基台に送信した後、前記基台から前記シリンジ駆動装置の前記パラメータ設定部に伝送する、
請求項１に記載の薬剤吸引排出システム。
【請求項６】
前記基台は、前記認証部の人の認証結果により、前記シリンジ駆動装置の動作をアクティブ、または、非アクティブにする、
請求項１または５に記載の薬剤吸引排出システム。
【発明の詳細な説明】
【技術分野】
【０００１】
本発明は、医療などの分野において、注射薬などの薬剤（薬液）をシリンジなどに吸引する（または、シリンジから他の薬品に排出する）時に用いる薬剤吸引排出システムに関する。
【背景技術】
【０００２】
病院などで薬剤（薬液）を入院患者などに施用する時に、異なった薬剤容器から数種類の薬剤（薬液）を取り出して混合したものを施用する場合が多い。この時に、混合する薬剤（薬液）の種類の確認などを目視に頼っているので、薬剤の取り間違いなどの取り揃えミスが生じることがある。また、このような薬剤（薬液）を混合する作業については、看護師や薬剤師などの人手に頼ることが多く、薬剤容器に注射針などを挿入して、ブトウ糖などの粘度の高い薬剤（薬液）を吸引するので、大きい作業負担となっている。さらに、病院などで施用される薬剤（薬液）の中には、安全性に十分配慮して取り扱うべき薬剤（薬液）もあり、安全に取り扱えて取り揃えミスがなく、さらに作業負担が少なくて済む薬剤吸引排出装置の開発が望まれている。
【０００３】
図９（ａ）、（ｂ）、（ｃ）は、従来の注射薬排出装置１と、その専用架台２を示す斜視図である。
【０００４】
図９（ａ）は、シリンジ（図示せず）を保持する搭載部３と、シリンジのプランジャ（図示せず）を矢印４ａの方向にスライドしてシリンジ内の注射薬を排出するスライダ４と、を有する注射薬排出装置１の斜視図である。この注射薬排出装置１は、患者への投与設定などの各種設定を行う設定部、外部と通信を行う通信部および患者固有情報を含む患者データを記憶し、患者と一対一対応を行う記憶部も備えている。
【０００５】
図９（ｂ）は、注射薬排出装置１を６個搭載できる専用架台２の斜視図である。図９（ｃ）は、専用架台２の内１個の要部を拡大した斜視図である。図９（ｂ）、（ｃ）に示すように、専用架台２の載置面５には、注射薬排出装置１の通信部からのデータを受信する通信ユニット６、電力を供給する給電ユニット７および載置面５の正しい位置に固定するために位置を検知する検知ユニット８がそれぞれ配置されている。
【０００６】
このような構成により、一人の患者に対して注射薬排出装置１を複数搭載可能として、それぞれの注射薬排出装置１から正しい量の注射薬を患者にそれぞれ投与する。この時に、専用架台２にから患者に対応した患者データがデータベースに送られ、この情報を共有して、それぞれの注射薬排出装置１から必要な注射薬が順番に患者に投与される。
【０００７】
これにより、患者と注射薬排出装置１を複数搭載した専用架台２との一対一の対応を行い、看護師などの記憶に頼ることなく患者間違いによる注射薬の誤投与防止を図っている（例えば、特許文献１参照）。
【先行技術文献】
【特許文献】
【０００８】
【特許文献１】特開２００８−１６７８８８号公報
【発明の概要】
【発明が解決しようとする課題】
【０００９】
しかしながら、上記で説明した従来の技術においては、予め患者に投与する注射薬を吸引した複数のシリンジをそれぞれの注射薬排出装置１に保持しておく必要がある。したがって、同じ形状の注射薬排出装置１が複数並んでおり、これらに搭載された複数のシリンジから所定の量の注射薬を正しい順番で患者に投与する時に、取り間違えが生じる可能性がある。また、同じく患者に投与する時に、それぞれの注射薬の吸引量を間違う可能性もある。さらに、複数の注射薬排出装置１を搭載した専用架台２は大きく、予め吸引したシリンジを使用する場合に場所を取り、また、その場所まで運搬するのに看護師などに多大な作業負担を強いるという課題もある。
【００１０】
本発明は上記従来の課題を解決するものであり、薬剤の取り間違えや混合調製手順、薬剤の吸引量や排出量の間違いを防止し、簡単な作業で薬剤の吸引や排出を行うことのできる、薬剤吸引排出システムを提供することを目的とする。
【課題を解決するための手段】
【００１１】
上記目的を達成するために、本発明の薬剤吸引排出システムは、薬剤吸引排出装置と、医療情報データベースと、薬剤混合ステーションと、を備えた薬剤吸引排出システムであって、前記薬剤吸引排出装置は、シリンジを保持して駆動させるシリンジ駆動装置と、前記シリンジ駆動装置を着脱可能に支持する基台と、を備え、前記薬剤吸引装置の前記シリンジ駆動装置は、前記シリンジのシリンダーを保持するシリンダー保持部と、前記シリンジのピストンを駆動するピストン駆動部と、処方箋データおよび処方の指示データおよび薬剤情報のデータの内の少なくともいずれかに基づいてピストン駆動部の動作パラメータを設定するパラメータ設定部と、前記ピストン駆動部の動作を前記動作パラメータにより制御する制御部と、を有し、前記薬剤吸引装置の前記基台は、前記処方箋データおよび前記処方の指示データおよび前記薬剤情報のデータの内の少なくともいずれかに基づく薬剤情報のデータを前記シリンジ駆動装置に送信する送信部と、前記シリンジ駆動装置を保持する保持部と、を有すると共に、少なくとも記憶部と、前記記憶部および前記情報提示部を制御するステーション制御部と、を内蔵し、前記医療情報データベースは、処方箋情報および監査情報および混合調整情報の内の少なくともいずれかの情報を送受信し、前記薬剤混合ステーションは、薬剤容器を配置する薬剤容器搭載部と、処方箋情報および監査情報および混合調製情報の内の少なくとも何れかを画面に表示する情報提示部と、前記薬剤を注入する輸液バッグを配置する輸液バッグ搭載部と、前記薬剤容器搭載部および前記輸液バッグ搭載部と一体化した混合調整エリアを配置した基台部と、を有し、前記ステーション制御部は、前記薬剤吸引排出装置の送信部及び受信部との間で医療情報を送受信することにより、前記薬剤吸引排出装置の基台と前記医療情報データベースとの間で送受信した医療情報に基づいて前記シリンジ駆動装置により前記薬剤容器の薬剤を前記シリンジに吸引または混合することを特徴とする。
【発明の効果】
【００１２】
本発明によれば、薬剤の取り間違えや混合調製手順、薬剤の吸引量や排出量の間違いを防止し、簡単な作業で薬剤の吸引や排出を行うことができる。
【図面の簡単な説明】
【００１３】
【図１】本発明の実施の形態１にかかる薬剤吸引排出装置の概略構成を示す斜視図
【図２】（ａ）本発明の実施の形態１にかかる薬剤吸引排出装置を構成するシリンジ駆動装置の斜視図、（ｂ）本発明の実施の形態１にかかる薬剤吸引排出装置を構成するシリンジ駆動装置の斜視図
【図３】本発明の実施の形態１にかかる薬剤吸引排出装置を構成する基台の斜視図
【図４】本発明の実施の形態１にかかる薬剤吸引排出装置の基本的な動作フローチャート
【図５】本発明の実施の形態１にかかる薬剤吸引排出装置の主要な構成要素を示すブロック図
【図６】本発明の実施の形態１にかかる薬剤吸引排出システムの概略構成を示す斜視図
【図７】本発明の実施の形態１にかかる薬剤吸引排出システムの主要な構成要素を示すブロック図
【図８】本発明の実施の形態２にかかる薬剤吸引排出システムの概略構成を示す斜視図
【図９】（ａ）従来の注射薬排出装置の斜視図、（ｂ）その専用架台を示す斜視図、（ｃ）その専用架台を示す斜視図
【発明を実施するための形態】
【００１４】
以下、本発明の実施の形態について、図面を参照しながら説明する。なお、同じ構成要素には同じ符号を付しており、説明を省略する場合もある。また、図面は、理解しやすくするためにそれぞれの構成要素を主体に模式的に示している。
【００１５】
（実施の形態１）
図１は本発明の実施の形態１にかかる薬剤吸引排出装置１０の概略構成を示す斜視図である。図２（ａ）、（ｂ）は、本発明の実施の形態１にかかる薬剤吸引排出装置１０を構成するシリンジ駆動装置１１の斜視図である。図２（ａ）は、側面方向から見たシリンジ駆動装置１１の斜視図、図２（ｂ）は斜め上部から見たシリンジ駆動装置の斜視図である。図３は、本発明の実施の形態１にかかる薬剤吸引排出装置１０を構成する基台１２の斜視図である。なお、本実施の形態１では、薬剤として注射薬（薬液）を想定しており、注射薬を使用する場合を例として説明している。
【００１６】
図１に示すように本実施の形態１の薬剤吸引排出装置１０は、シリンジ１３を保持してそのピストン１３ｂを駆動させるシリンジ駆動装置１１と、シリンジ駆動装置１１を着脱可能に支持する基台１２と、を備えた構成である。
【００１７】
図１および図２（ａ）、（ｂ）に示すように、シリンジ駆動装置１１は、シリンジ１３のシリンダー１３ａを保持するシリンダー保持部１４と、シリンジ１３のピストン１３ｂを駆動させるピストン駆動部１５と、パラメータ設定部１６と、制御部１７と、を有している。ここで、パラメータ設定部１６は、処方箋データ、処方の指示データおよび薬剤情報のデータの内の少なくともいずれかに基づいて、ピストン駆動部１５の動作パラメータを設定する。制御部１７は、ピストン駆動部１５の動作を動作パラメータにより制御する。ここで、処方の指示データとは、処方箋データの形態になっていない薬剤の混合調製や処方などを指示するデータのことをいう。
【００１８】
図１および図３に示すように、基台１２は、受信部１９ａと、送信部１９ｂと、保持部２１と、を備えている。ここで、受信部１９ａと送信部１９ｂとにより、情報通信部１９が構成されている。受信部１９ａは、処方箋データ、処方の指示データおよび薬剤情報のデータの内の少なくともいずれかに基づいてシリンジ１３に吸引する薬剤情報のデータベース（図示せず）を受信する。送信部１９ｂは、ピストン駆動部１５の駆動手順のデータを、シリンジ駆動装置１１に送信する。そして、保持部２１は、シリンジ駆動装置１１を保持する。なお、シリンジ駆動装置１１の握り手部２５の下部には、一対の充電端子受容部２６と情報端子受容部２７とが配置されている。
【００１９】
また、基台１２は、シリンジ駆動装置１１を操作する人を認証する認証部１８と、シリンジ駆動装置１１のピストン駆動部１５の動力源である電池部２２を充電する充電部２０と、を備えた構成としてもよい。シリンジ駆動装置１１を人が扱う場合には、認証部１８により、その人の指紋または虹彩などを認証し、シリンジ駆動装置１１を扱い許可を予め登録された人であることを確認している。すなわち、認証部１８には、指紋認証装置（図示せず）および虹彩認証装置（図示せず）の内の少なくともいずれかが配置されている。そして、基台１２の握り手部２５を保持する位置には、上述の一対の充電端子受容部２６と情報端子受容部２７と対応した一対の充電端子２６ａと情報端子２７ａとが配置されている。このような配置により、基台１２の充電部２０で充電された電荷は、充電端子２６ａおよび充電端子受容部２６を介して配線（図示せず）などでシリンジ駆動装置１１の電池部２２に伝送される。
【００２０】
この構成により、薬剤（注射薬）の吸引排出作業の流れの中で、薬剤（注射薬）の吸引排出やその混合調製を取り扱う人を間違いなく認識し、常に充分に充電されたシリンジ駆動装置を用いて効率よく作業を行うことができる。
【００２１】
シリンジ駆動装置１１の制御部１７およびパラメータ設定部１６と基台１２の情報通信部１９とは、情報端子２７ａおよび情報端子受容部２７を介して、配線（図示せず）などにより電気的に相互に薬剤情報（医療情報）を伝送する。
【００２２】
この構成により、シリンジ１３は、シリンジ駆動装置１１に搭載される。そして、シリンジ１３のシリンダー１３ａはシリンダー保持部１４に固定され、ピストン１３ｂはピストン駆動部１５に固定されて、それぞれ保持される。ピストン駆動部１５は、シリンダー１３ａを挟んで両側に配置されたラック１５ａ、１５ｂによりピストン１３ｂを駆動させる。このラック１５ａ、１５ｂは、モータ（図示せず）の電力を伝達するピニオン（図示せず）を矢印１５ｃの方向に移動させることで駆動する。すなわち、シリンジ駆動装置１１のピストン駆動部１５とピストン１３ｂとが可動部として矢印１５ｃの方向に移動し、注射針１３ｃの先端から薬剤容器（図示せず）の薬液を吸引または排出する。これにより、薬剤吸引排出装置１０は、シリンジ駆動装置１１により、薬剤容器の薬剤（注射薬）をシリンジ１３に吸引する。あるいは、輸液バッグ（図示せず）に排出して混合する。なお、シリンジ１３のシリンダー１３ａおよびピストン１３ｂは、押さえ具１１ａ、１１ｂにより、その上部を押さえて固定されている。また、ピストン駆動部１５を注射針１３ｃに近い方向（または、その逆方向）に動かすには、握り手部２５に設けられた一組のボタン２５ａ、２５ｂのいずれかを押せばよい。
【００２３】
以上の構成により、シリンジ１３をほぼシリンジ駆動装置１１に固定した状態で、簡単な操作により患者に注射薬を投与できる。したがって、看護師などの作業負担を軽減したコンパクトな薬剤吸引排出装置１０を実現できる。
【００２４】
図１および図３に示すように、基台１２は、シリンジ１３に吸引する薬剤を表示する表示部２３と、シリンジ１３に吸引する薬剤を認識する薬剤認証部２４と、を備えている。ここで、表示部２３は、基台１２の側面１２ａに嵌め込まれているが、表示部２３の一辺２３ａを矢印の方向を軸に矢印２３ｂの方向に表示部２３の表示面２３ｃの方向を変えて移動させることができる。この表示面２３ｃに、どの薬剤（注射薬）をどういう順番で取り扱うかについての指示や、混合調製の方法、手順および注意点並びに使用する注射薬の吸引量や排出量を、わかり易く表示する。また、このような表示面２３ｃへの表示は、まず、取り扱うべき薬剤（注射薬）が薬剤認証部２４で認証された後でないと表示されない。そうすると、扱う薬剤（注射薬）を順序良く薬剤認証部２４で認証し、これにより表示面２３ｃに表示された指示内容に従い、混合調製を行い、薬剤（注射薬）の吸引等を行う。また、表示面２３ｃが見にくい位置で作業をする時には、矢印２３ｂの方向に表示面２３ｃの方向を変えて移動し、指示内容を見て混合調製などの作業を確実に行うことができる。
【００２５】
この構成により、薬剤（注射薬）の取り間違えや混合調製手順および注射薬の吸引量や排出量の間違いをさらに防止することができる。
【００２６】
次に、本実施の形態１の薬剤吸引排出装置１０の基本的な動作について説明する。
【００２７】
図４は、本発明の実施の形態１にかかる薬剤吸引排出装置１０の基本的な動作フローチャートを示す。図５は、本発明の実施の形態１にかかる薬剤吸引排出装置１０の主要な構成要素を示すブロック図である。
【００２８】
図４および図５に示すように、薬剤（注射薬）の吸引排出を行う時には、まず、薬剤吸引排出装置１０を操作する看護師や薬剤師などの人を認証部１８で認証する（人認証ステップＳ１）。認証には指紋や虹彩などが用いられ、薬剤吸引排出装置１０を操作できる人は、予め登録されている。登録された人が認証されると、薬剤吸引排出装置１０の充電用電源２０ａを含む電源がオンする。登録された人以外は、認証部１８で認証されないので、薬剤吸引排出装置１０の電源はオフのままで、薬剤吸引排出装置１０の使用ができない。
【００２９】
次に、処方箋に基づいて、シリンジ１３に吸引する薬剤情報のデータを基台１２の情報通信部１９の受信部１９ａで受信する（データ受信ステップＳ２）。この薬剤情報のデータは、データベースから無線で送信されても、固体メモリにより入力されてもよい。
【００３０】
薬剤情報のデータが入力されると、シリンジ１３に吸引する薬剤（注射薬）が表示部２３に表示される（表示ステップＳ３）。この表示内容に従い、表示された薬剤（注射薬）を選択して、薬剤を薬剤認証部２４で認識させる（薬剤認証ステップＳ４）。選択した薬剤が吸引する薬剤であることが正しく認識されると、シリンジ駆動装置１１で薬剤を吸引するのに必要なデータ、例えば、薬剤の吸引量、薬剤の粘度などの特性に対応した吸引スピードなどが送信される（データ送信ステップＳ５）。具体的には、吸引する薬剤の粘度が高いなどで泡立ち易い時には、シリンジ駆動装置１１により薬剤をゆっくりと吸引するように、そのモータの動作を制御する。逆に薬剤の粘度が低い時には、薬剤をすばやく吸引するように、そのモータの動作を制御する。また、薬剤の種類によっては高速で扱うと分子等を破損するものも有り、その場合は低速で吸引するようにモータを制御する。また、薬剤の吸引量が多い時には、吸引の始めは早く吸引し、吸引の終わりにはゆっくりと吸引するように、モータの動作を制御するようにしてもよい。
【００３１】
この吸引のスピードなどのデータをシリンジ駆動装置１１の制御部１７で受信すると、ピストン駆動部１５において、このデータに基づいた薬剤の吸引量や吸引スピードなどの動作パラメータが設定される（動作パラメータ設定ステップＳ６）。制御部１７は、この動作パラメータにより、ピストン駆動部１５の動作を制御する。これにより、シリンジ１３の中に吸引する薬剤の特性や作業性を考慮した吸引スピードで所定の量の薬剤が吸引される（吸引排出ステップＳ７）。なお、動作パラメータは、シリンダー１３ａへの薬剤の吸引の速度、シリンダー１３ａからの薬剤の排出の速度および吸引する薬剤の吸引量に対応して設定する交換用の空気の量のうちの少なくともいずれかのパラメータを含む構成としている。
【００３２】
この構成により、シリンダー１３ａに吸引する、または、シリンダー１３ａから排出する薬剤の特性を考慮して動作パラメータを設定するので、薬剤の特性に適した薬剤（注射薬）の混合調製を行うことができる。
【００３３】
吸引排出ステップＳ７において、シリンダー１３ａ内に吸引した薬剤を輸液バッグなどに混合調製したい場合には、シリンジ駆動装置１１を用いて、注射針１３ｃを輸液バッグなどに挿入して、シリンダー１３ａ内の薬剤の排出を行う。一連の吸引および排出が終わると、シリンジ駆動装置１１は基台１２の保持部２１に保持される（保持ステップＳ８）。
【００３４】
最後に、一連の動作フローチャートで新たに取得したデータを蓄積する（データ蓄積ステップＳ９）。例えば、一連のデータの中で取り間違えが起こりやくい注射薬の組み合わせや混合調製の作業を間違えやすい手順などのデータが蓄積される。また、薬剤（注射薬）を吸引する時に間違いやすい吸引量や排出量の数値の組み合わせなども、蓄積されたデータを統計的に分析することにより明確にすることができ、混合調製の作業時に特に注意を促して間違えを回避することもできる。
【００３５】
この構成により、薬剤（注射薬）の取り間違えや混合調製手順および薬剤（注射薬）の吸引量や排出量の間違いを防止し、作業内容を簡単にするように改善して患者に薬剤（注射薬）を投与できる。
【００３６】
なお、シリンジ駆動装置１１の電池部２２は、例えば乾電池などの１次電池からなる電池２２ａと、例えばリチウムイオン電池などの２次電池やキャパシタなどからなる充電電池２２ｂとが併用できるように構成されている。そして、シリンジ駆動装置１１が基台１２の保持部２１で保持されている間に、必要に応じて充電電池２２ｂは、基台１２の充電部２０により充電される。
【００３７】
次に本実施の形態１の薬剤吸引排出装置１０を用いた薬剤吸引排出システム３０について説明する。
【００３８】
図６は、本発明の実施の形態１にかかる薬剤吸引排出システム３０の概略構成を示す斜視図である。図７は、本発明の実施の形態１にかかる薬剤吸引排出システム３０の主要な構成要素を示すブロック図である。
【００３９】
図６に示すように、本実施の形態１の薬剤吸引排出システム３０は、上述の薬剤吸引排出装置１０と、処方箋情報、監査情報および混合調整情報の内の少なくともいずれかの情報を送受信する医療情報データベース３１と、を備えている。そして、薬剤吸引排出システム３０は、薬剤吸引排出装置１０の基台１２と医療情報データベース３１との間で送受信した医療情報に基づいてシリンジ駆動装置１１により薬剤容器の薬剤をシリンジに吸引または混合する。
【００４０】
この構成により、医療情報データベース３１を活用して混合調製作業を行って蓄積されたデータも活用するので、薬剤（注射薬）の取り間違えや混合調製手順および薬剤（注射薬）の吸引量や排出量の間違いをさらに確実に防止することができる。なお、薬剤吸引排出システム３０の動作フローチャートは、図４に示す薬剤吸引排出装置１０の動作フローチャートと同じである。ただし、データの送受信や医療情報の各構成要素間のやり取りの中で、情報通信部１９は医療情報データベース３１を必要に応じて活用することができる。すなわち、医療情報データベース３１においては、システムが持っている医療情報（薬剤情報）の全てをデータベースとして利用できるだけでなく、他の場所の端末として使用された利用者認証部３２の認証データや患者ごとの処方箋を含む指示書３３のデータも利用できる。これらのデータは、図７に示すように、通信部３４と薬剤吸引排出装置１０の基台１２の情報通信部１９の間で交換され利用される。なお、この指示書３３は、処方箋データ、処方の指示データおよび薬剤情報のデータのうち少なくともいずれかに基づいて作成されたものである。
【００４１】
また、薬剤吸引排出システム３０において、例えば、処方箋３３から取得した医療情報に基づき、医療情報データベース３１により必要な動作パラメータを抽出する。この抽出された動作パラメータを基台１２に送信した後、基台１２からシリンジ駆動装置１１のパラメータ設定部１６に伝送する構成としてもよい。なお、医療情報は、処方箋データ、処方の指示データおよび薬剤情報のデータのうち少なくともいずれかに基づいた薬剤に関する情報であればよい。
【００４２】
この構成により、シリンジ駆動装置１１に必要な情報は適切な時に適切な量だけ基台１２から取得することができる。これにより、医療情報データベース３１の情報が必要な時には予め基台１２の受信部１９ａに取り込み、シリンジ駆動装置１１がその情報を使用する直前にシリンジ駆動装置１１にその情報を転送することができる。そうすると、シリンジ駆動装置１１が記憶すべきメモリの量は少なくなるので、形状も小型にできる。以上により、医療情報データベース３１の情報は全て使用することができ、かつ、その情報を適切に使用したコンパクトなシリンジ駆動装置１１が実現できる。その結果、コンパクトな薬剤吸引排出システム３０を実現できる。
【００４３】
また、薬剤吸引排出システム３０において、基台１２は、シリンジ駆動装置１１を操作する人を認証する認証部１８を有し、認証部１８の人の認証結果により、シリンジ駆動装置１１の動作をアクティブ、または、非アクティブにする。
【００４４】
この構成により、予め登録されたシリンジ駆動装置１１を操作する人を確実に認証し、それ以外の人は認証しない。したがって、予め登録された人以外は操作できない。したがって、一定のレベル以上の知識とスキルを持った人だけが予め登録できることとすると、シリンジ駆動装置１１を操作する人を限定できる。これにより、薬剤吸引排出システム３０の安全性が向上する。
【００４５】
（実施の形態２）
図８は、本発明の実施の形態２にかかる薬剤吸引排出システム４０の概略構成を示す斜視図である。
【００４６】
図８に示すように、本実施の形態２の薬剤吸引排出システム４０は、実施の形態１の薬剤吸引排出システム３０と異なり、薬剤容器搭載部４１と、情報提示部４２と、輸液バッグ搭載部４３と、基台部４４と、を有する薬剤混合ステーション４５を備えている。ここで、薬剤容器搭載部４１は、薬剤容器４１ａを配置するものであり、輸液バッグ搭載部４３は、シリンジ駆動装置１１などにより、シリンダー１３ａ内の薬剤を注入する輸液バッグ４３ａを配置するものである。基台部４４は、薬剤容器搭載部４１および輸液バッグ搭載部４３と一体化した混合調製エリア４６を配置したものである。
【００４７】
したがって、本実施の形態２の薬剤吸引排出システム４０は、シリンジ駆動装置１１と、基台１２と、を有する薬剤吸引排出装置１０と、医療情報データベース３１と、薬剤混合ステーション４５と、を備えたシステムである。
【００４８】
薬剤混合ステーション４５の基台部４４は、少なくとも記憶部４５ａと、記憶部４５ａおよび情報提示部４２を制御するステーション制御部４５ｂと、を内蔵している。このステーション制御部４５ｂは、薬剤吸引排出装置１０の送信部１９ｂ及び受信部１９ａと医療情報を送受信することにより、シリンジ駆動装置１１により薬剤容器４１ａの薬剤をシリンジ１３に吸引または混合する構成としている。
【００４９】
次に、薬剤吸引排出システム４０の基本的な動作について簡単に説明する。図８に示すように、情報提示部４２の背面に配置された処方箋読取部４７または医療情報データベース３１により、例えば、患者ごとの処方箋３３の情報を読み取る。この処方箋情報により、取り揃えるべき薬剤が入った薬剤容器４１ａの画像情報が情報提示部４２に表示され、この画像情報に従い、薬剤容器搭載部４１に薬剤容器４１ａを配置する。この時までに、薬剤（注射薬）を扱う人の認証は、基台１２の認証部（図示せず）などで認証され、薬剤容器４１ａの認証も基台１２の薬剤認証部（図示せず）などで認証されている。したがって、薬剤吸引排出システム４０の薬剤吸引排出装置１０のフローチャートは、実施の形態１で説明したものと同様に進行する。なお、医療情報は、処方箋データ、処方の指示データおよび薬剤情報のデータのうち少なくともいずれかに基づいた薬剤に関する情報であればよい。
【００５０】
薬剤容器４１ａの認証によりシリンジ駆動装置１１の吸引排出動作に必要なデータが、基台１２の情報通信部（図示せず）を通じてシリンジ駆動装置１１の制御部（図示せず）に送られている。そこで、最初に吸引する薬剤容器４１ａを取り、シリンジ駆動装置１１により、中の薬剤（薬液）を吸引する。この時の薬剤（薬液）の吸引量や吸引のスピードなどのデータは、上述のように制御部に送られている。吸引が終わると、シリンジ駆動装置１１に保持されたシリンジ１３の中の薬剤（薬液）を混合調製する輸液バッグ４３ａに排出する。輸液バッグ４３ａは、シリンジ１３の注射針１３ｃが挿入しやすいように、その注出口栓４３ｂを支持部４３ｃで支えられている。
【００５１】
薬剤の排出が終わると、次の薬剤容器４１ａも同様に薬剤（薬液）の吸引が続けて行われる。一連の吸引および排出が終わると、シリンジ駆動装置１１は、基台１２の所定の位置に置かれて保持される。この後に、一連の吸引および排出のプロセスに関する実施データが、シリンジ駆動装置１１の制御部および基台１２の情報通信部並びに薬剤混合ステーション４５から医療情報データベース３１に送信される。これらのデータは、必要に応じて医療情報データベース３１に蓄積される。
【００５２】
この構成により、作業場所を選ばないコンパクトな薬剤吸引排出システム４０が実現できる。また、混合調製する薬剤が全て揃い、作業指示も見やすい情報提示部４２により表示され、これらにより、薬剤吸引排出システム４０がサポートされる。これにより、混合調製時の薬剤の取り間違いや吸引量の間違いなどを防止し、安全かつ正確に薬品を混合できる。
【産業上の利用可能性】
【００５３】
本発明の薬剤吸引排出システムによれば、薬剤（注射薬）の取り間違えや混合調製手順および注射薬の吸引量や排出量の間違いを防止することができる。
【００５４】
この薬剤吸引排出システムを用いれば、薬剤師や看護師などが安全かつ正確に薬品などを扱うことができ、病院などにおいて看護師や薬剤師などの作業負担を大幅に軽減でき、有用である。
【００５５】
また、本発明の薬剤吸引排出システムは、病院などの医療分野だけでなく、バイオケミカルなどを用いた産業分野（農業や工業など）にも適用でき、有用である。
【符号の説明】
【００５６】
１０    薬剤吸引排出装置
１１    シリンジ駆動装置
１１ａ，１１ｂ  押さえ具
１２    基台
１２ａ  側面
１３    シリンジ
１３ａ  シリンダー
１３ｂ  ピストン
１３ｃ  注射針
１４    シリンダー保持部
１５    ピストン駆動部
１５ａ，１５ｂ  ラック
１５ｃ，２３ｂ  矢印
１６    パラメータ設定部
１７    制御部
１８    認証部
１９    情報通信部
１９ａ  受信部
１９ｂ  送信部
２０    充電部
２０ａ  充電用電源
２１    保持部
２２    電池部
２２ａ  電池
２２ｂ  充電電池
２３    表示部
２３ａ  一辺
２３ｃ  表示面
２４    薬剤認証部
２５    握り手部
２５ａ，２５ｂ  ボタン
２６    充電端子受容部
２６ａ  充電端子
２７    情報端子受容部
２７ａ  情報端子
３０，４０  薬剤吸引排出システム
３１    医療情報データベース
３２    利用者認証部
３３    指示書
３４    通信部
４１    薬剤容器搭載部
４１ａ  薬剤容器
４２    情報提示部
４３    輸液バッグ搭載部
４３ａ  輸液バッグ
４３ｂ  注出口栓
４３ｃ  支持部
４４    基台部
４５    薬剤混合ステーション
４５ａ  記憶部
４５ｂ  ステーション制御部
４６    混合調製エリア
【図１】
0005428809.tif 000002
【図２】
0005428809.tif 000003
【図３】
0005428809.tif 000004
【図４】
0005428809.tif 000005
【図５】
0005428809.tif 000006
【図６】
0005428809.tif 000007
【図７】
0005428809.tif 000008
【図８】
0005428809.tif 000009
【図９】
0005428809.tif 000010